(57)【要約】【課題】電源のオン時およびオフ時に液晶表示パネルの異常点灯の発生を防止する。【解決手段】リセット信号ホールド用コンデンサ７に保持されたリセット信号の電圧によって、放電回路スイッチ用トランジスタ５を動作させて放電抵抗４を介してバイアス回路平滑用コンデンサ３に保持されたバイアス電圧の電荷を放電させる。【選択図】            図１
2004151514.tif 000002
【特許請求の範囲】
【請求項１】
電源がオフになったときに、液晶表示装置のバイアス回路平滑用コンデンサに保持されたバイアス電圧の電荷を放電させる放電回路において、
前記バイアス回路平滑用コンデンサに接続された放電抵抗と、
前記放電抵抗およびグランドに接続された放電回路スイッチ用トランジスタと、
この放電回路スイッチ用トランジスタのソースとゲートとの間に接続され、リセット信号ホールド用ダイオードを介して前記液晶表示装置のパネル駆動用ＩＣチップに対するリセット信号の電圧が保持されるリセット信号ホールド用コンデンサとを有してなり、
前記電源がオフになったときに前記リセット信号ホールド用コンデンサに保持された前記リセット信号の電圧により、前記放電回路スイッチ用トランジスタを動作させて前記放電抵抗を介して前記バイアス回路平滑用コンデンサに保持されたバイアス電圧の電荷を放電させることを特徴とする放電回路。
【請求項２】
電源がオフになったときに、液晶表示装置のバイアス回路平滑用コンデンサに保持されたバイアス電圧の電荷を放電させる放電回路において、
前記バイアス回路平滑用コンデンサに接続された放電抵抗と、
前記放電抵抗およびグランドに接続され、前記液晶表示装置のパネル駆動用ＩＣチップの駆動電圧がゲート電圧として印加される放電回路スイッチ用トランジスタとを有してなり、
前記駆動電圧がオフとなったとき前記放電回路スイッチ用トランジスタの動作を停止させて前記放電抵抗を介して前記バイアス回路平滑用コンデンサに保持されたバイアス電圧の電荷を放電させることを特徴とする放電回路。
【請求項３】
液晶表示装置のバイアス回路平滑用コンデンサに保持されたバイアス電圧の電荷を放電させる放電回路を有する液晶表示装置において、
前記放電回路が、前記バイアス回路平滑用コンデンサに接続された放電抵抗と、
前記放電抵抗およびグランドに接続された放電回路スイッチ用トランジスタと、
この放電回路スイッチ用トランジスタのソースとゲートとの間に接続され、リセット信号ホールド用ダイオードを介してパネル駆動用ＩＣチップに対するリセット信号の電圧が印加されるリセット信号ホールド用コンデンサとを有してなり、
前記電源がオフになったときに前記リセット信号ホールド用コンデンサに保持された前記リセット信号の電圧により、前記放電回路スイッチ用トランジスタを動作させて前記放電抵抗を介して前記バイアス回路平滑用コンデンサに保持されたバイアス電圧の電荷を放電させることを特徴とする液晶表示装置。
【請求項４】
液晶表示装置のバイアス回路平滑用コンデンサに保持されたバイアス電圧の電荷を放電させる放電回路を有する液晶表示装置において、
前記放電回路が、前記バイアス回路平滑用コンデンサに接続された放電抵抗と、
前記放電抵抗およびグランドに接続され、パネル駆動用ＩＣチップの駆動電圧がゲート電圧として印加される放電回路スイッチ用トランジスタとを有してなり、
前記駆動電圧がオフとなったとき前記放電回路スイッチ用トランジスタの動作を停止させて前記放電抵抗を介して前記バイアス回路平滑用コンデンサに保持されたバイアス電圧の電荷を放電させることを特徴とする液晶表示装置。
【発明の詳細な説明】
【０００１】
【発明の属する技術分野】
本発明は放電回路および液晶表示装置に係り、特に電源がオフになったときにバイアス回路平滑用コンデンサに保持されたバイアス電圧の電荷を完全に放電可能な放電回路および液晶表示装置に関する。
【０００２】
【従来の技術】
一般に、中間に液晶を充填した一対の透明基板の所定の部分に、選択的に電界を与えて特定の図形や文字等の情報を表示する液晶表示パネルが内蔵された液晶表示装置が、コンピュータや携帯電話等の表示装置として多く用いられており、このような液晶表示装置は、液晶表示パネルを駆動するためのパネル駆動用ＩＣチップを有している。
【０００３】
また、このパネル駆動用ＩＣチップには、低消費電力化等の要求により、従来よりバイアス電圧発生回路が組み込まれており、このような液晶表示パネル駆動用ＩＣチップを有する液晶表示装置は、バイアス電圧発生回路によって発生したバイアスで電圧をバイアス回路平滑用コンデンサに保持するようになっている。
【０００４】
しかし、前記液晶表示装置においては、前記バイアス回路平滑用コンデンサに保持されたバイアス電圧の電荷が、前記液晶表示装置の電源がオフにされたときに液晶表示パネルの方に流れてしまうおそれがあり、これにより、液晶表示パネルが異常点灯してしまう場合があった。
【０００５】
このため、従来の液晶表示装置においては、前記バイアス回路平滑用コンデンサに放電用抵抗を接続したり、または放電回路を組み込み、これにより、前記バイアス回路平滑用コンデンサに保持されたバイアス電圧の電荷を放電していた。
【０００６】
【発明が解決しようとする課題】
しかし、前述のバイアス回路平滑用コンデンサに放電用抵抗が接続されている液晶表示装置においては、前記バイアス回路平滑用コンデンサに充電された電荷を放電するために前記放電用抵抗に常に電流が流れるため、かえって液晶表示装置における消費電流が増加してしまうという問題があった。
【０００７】
また、従来の放電回路が組み込まれた液晶表示装置においては、正常に電源がオフにされた場合は、バイアス回路平滑用コンデンサに保持されたバイアス電圧の電荷がこの放電回路によって放電される。しかし、電源供給プラグを引き抜く等の異常な状態で電源がオフにされた場合には、前記放電回路が機能せず、前記電荷が液晶表示パネルの方に流れて液晶表示パネルの異常点灯を発生させるおそれがあった。
【０００８】
さらに、前記放電回路は、所定のしきい値以上の電圧の電荷を放電することができるように構成されているが、前記電荷の電圧が前記しきい値以下の場合、電源のオフ時には液晶表示パネルの異常点灯は発生しないが、前記電荷は放電されずに液晶表示パネルの方に流れて、この液晶表示パネルに所定のしきい値以下の電圧が長時間印加され続けることとなる。この結果、その後電源がオンにされたときには、液晶表示パネルの表示の一部に筋状の異常点灯が発生してしまうおそれがあった。
【０００９】
本発明はこれらの点に鑑みてなされたものであり、電源のオン時およびオフ時に液晶表示パネルの異常点灯の発生を防止することができる放電回路および液晶表示装置を提供することを目的とする。
【００１０】
【課題を解決するための手段】
前記目的を達成するため、請求項１に記載の発明に係る放電回路は、電源がオフになったときに、液晶表示装置のバイアス回路平滑用コンデンサに保持されたバイアス電圧の電荷を放電させる放電回路において、前記バイアス回路平滑用コンデンサに接続された放電抵抗と、前記放電抵抗およびグランドに接続された放電回路スイッチ用トランジスタと、この放電回路スイッチ用トランジスタの前記ソースとゲートとの間に接続され、リセット信号ホールド用ダイオードを介して前記液晶表示装置のパネル駆動用ＩＣチップに対するリセット信号の電圧が保持されるリセット信号ホールド用コンデンサとを有してなり、前記リセット信号ホールド用コンデンサに保持された前記リセット信号の電圧により、前記放電回路スイッチ用トランジスタを動作させて前記放電抵抗を介して前記バイアス回路平滑用コンデンサに保持されたバイアス電圧を放電することを特徴とする。
【００１１】
この請求項１に記載の発明によれば、バイアス回路平滑用コンデンサに保持されたバイアス電圧の電荷を放電させるにあたり、電源がオフになったときに、液晶表示装置のリセット信号の電圧を用いて放電回路スイッチ用トランジスタを動作させることによって、前記放電抵抗を介してバイアス回路平滑用コンデンサに保持されたバイアス電圧の電荷を液晶表示パネル側に流すことなくグランドに放電させることができる。
【００１２】
また、請求項２に記載の発明に係る放電回路は、電源がオフになったときに、液晶表示装置のバイアス回路平滑用コンデンサに保持されたバイアス電圧の電荷を放電させる放電回路において、前記バイアス回路平滑用コンデンサに接続された放電抵抗と、前記放電抵抗およびグランドに接続され、前記液晶表示装置のパネル駆動用ＩＣチップの駆動電圧がゲート電圧として印加される放電回路スイッチ用トランジスタとを有してなり、前記駆動電圧がオフとなったとき前記放電回路スイッチ用トランジスタの動作を停止させて前記放電抵抗を介して前記バイアス回路平滑用コンデンサに保持されたバイアス電圧の電荷を放電させることを特徴とする。
【００１３】
この請求項２に記載の発明によれば、駆動電圧がオフになると、放電回路スイッチ用トランジスタの動作を停止させて、前記放電抵抗を介してバイアス回路平滑用コンデンサに保持されたバイアス電圧の電荷を液晶表示パネル側に流すことなくグランドに放電させることができる。
【００１４】
また、請求項３に記載の発明に係る液晶表示装置は、液晶表示装置のバイアス回路平滑用コンデンサに保持されたバイアス電圧の電荷を放電させる放電回路を有する液晶表示装置において、前記放電回路が、前記バイアス回路平滑用コンデンサに接続された放電抵抗と、前記放電抵抗およびグランドに接続された放電回路スイッチ用トランジスタと、この放電回路スイッチ用トランジスタのソースとゲートとの間に接続され、リセット信号ホールド用ダイオードを介してパネル駆動用ＩＣチップに対するリセット信号の電圧が保持されるリセット信号ホールド用コンデンサとを有してなり、電源がオフになったときに前記リセット信号ホールド用コンデンサに保持された前記リセット信号の電圧によって、前記放電回路スイッチ用トランジスタを動作させて前記放電抵抗を介して前記バイアス回路平滑用コンデンサに保持されたバイアス電圧の電荷を放電させることを特徴とする。
【００１５】
この請求項３に記載の発明によれば、バイアス回路平滑用コンデンサに保持されたバイアス電圧の電荷を放電させるにあたり、電源がオフになったときに、液晶表示装置のリセット信号の電圧を用いて放電回路スイッチ用トランジスタを動作させることによって、前記放電抵抗を介してバイアス回路平滑用コンデンサに保持されたバイアス電圧の電荷を液晶表示パネル側に流すことなくグランドに放電させることができる。
【００１６】
さらに、請求項４に記載の発明に係る液晶表示装置は、液晶表示装置のバイアス回路平滑用コンデンサに保持されたバイアス電圧の電荷を放電させる放電回路を有する液晶表示装置において、前記放電回路が、前記バイアス回路平滑用コンデンサに接続された放電抵抗と、前記放電抵抗およびグランドに接続され、パネル駆動用ＩＣチップの駆動電圧がゲート電圧として印加される放電回路スイッチ用トランジスタとを有してなり、前記駆動電圧がオフとなったとき前記放電回路スイッチ用トランジスタの動作を停止させて前記放電抵抗を介して前記バイアス回路平滑用コンデンサに保持されたバイアス電圧の電荷を放電させることを特徴とする。
【００１７】
この請求項４に記載の発明によれば、駆動電圧がオフになると、放電回路スイッチ用トランジスタの動作を停止させて、前記放電抵抗を介してバイアス回路平滑用コンデンサに保持されたバイアス電圧の電荷を液晶表示パネル側に流すことなくグランドに放電させることができる。
【００１８】
【発明の実施の形態】
以下、本発明に係る液晶表示装置の実施形態を図１および図２を参照して説明する。
【００１９】
図１は、本実施形態に係る液晶表示装置の電気回路の一部を示す回路図であり、図１に示すように、本液晶表示装置１には、パネル駆動用ＩＣチップ２が配設されている。このパネル駆動用ＩＣチップ２は、図示しない液晶表示パネルに接続されて、この液晶表示パネルに対して所定の液晶駆動電圧を印加するようになっており、この液晶表示パネルは、前記液晶駆動電圧に基づいて所定の表示を行うようになっている。また、前記パネル駆動用ＩＣチップ２には、バイアス電圧を発生するバイアス電圧発生回路（図示せず）が組み込まれている。さらに、前記パネル駆動用ＩＣチップ２は、グランド（ＧＮＤ）と結線されている。
【００２０】
また、前記液晶表示装置１は、前記バイアス電圧発生回路によって発生したバイアス電圧を保持するためのバイアス回路平滑用コンデンサ３を有しており、このバイアス回路平滑用コンデンサ３は、前記パネル駆動用ＩＣチップ２に接続されているとともに、放電抵抗４の一端に接続されている。
【００２１】
さらに、前記液晶表示装置１は、ｐチャネルＭＯＳ（Ｍｅｔａｌ  Ｏｘｉｄｅ  Ｓｅｍｉｃｏｎｄｕｃｔｏｒ  ）形電界効果トランジスタ等のエンハンスメント型の放電回路スイッチ用トランジスタ５を有しており、この放電回路スイッチ用トランジスタ５は、ゲート（Ｇ）電圧を加えたときに動作してチャネルが形成され、ドレイン（Ｄ）とソース（Ｓ）との間に電流が流れるようになっている。この放電回路スイッチ用トランジスタ５におけるドレインは、前記放電抵抗４の他端に接続されており、また、前記ソースは、グランドに接続されている。さらにまた、前記ゲートと前記ソースとの間には、前記パネル駆動用ＩＣチップ２をオフ状態にするためのリセット信号の電圧を保持するリセット信号ホールド用コンデンサ７が接続されており、このリセット信号ホールド用コンデンサ７は、リセット信号ホールド用ダイオード８を介して前記リセット信号の電圧を保持するようになっている。
【００２２】
そして、前記放電回路スイッチ用トランジスタ５と、前記放電抵抗４と、前記リセット信号ホールド用コンデンサ７と、前記リセット信号ホールド用ダイオード８とによって、前記バイアス回路平滑用コンデンサ３に保持されたバイアス電圧の電荷を放電する放電回路９を構成するようになっている。
【００２３】
つぎに、本実施形態の作用について説明する。
【００２４】
まず、液晶表示装置１の電源をオンにすると、パネル駆動用ＩＣチップ２にこのパネル駆動用ＩＣチップ２の駆動電圧が印加され、バイアス電圧発生回路において発生させたバイアス電圧がバイアス回路平滑用コンデンサ３によって保持される。
【００２５】
次に、この液晶表示装置１の電源をオフにするとき、リセット信号がパネル駆動用ＩＣチップ２に送信されるとともに、このリセット信号は、リセット信号ホールド用ダイオード８を介してリセット信号ホールド用コンデンサ７に印加されて、その電圧が保持される。続いて、このリセット信号ホールド用コンデンサ７に保持された電圧が放電回路スイッチ用トランジスタ５のゲートに印加されると、前記放電回路スイッチ用トランジスタ５が動作し、放電抵抗４を介してグランドに電流が流れる。
【００２６】
これにより、前記バイアス回路平滑用コンデンサ３に保持されたバイアス電圧の電荷を放電させることができる。
【００２７】
本実施形態によれば、電源がオフになったとき、バイアス回路平滑用コンデンサ３に保持されたバイアス電圧の電荷を放電させるにあたり、液晶表示装置１のリセット信号の電圧を用いて放電回路スイッチ用トランジスタ５を動作させることによって、前記放電抵抗４を介してバイアス回路平滑用コンデンサ３に保持されたバイアス電圧の電荷を液晶表示パネル側に流すことなくグランドに放電させることができる。
【００２８】
したがって、電源供給プラグを引き抜く等、異常な状態で液晶表示装置１の電源がオフにされた場合であっても、リセット信号ホールド用コンデンサ７に保持された電圧を用いて放電回路スイッチ用トランジスタ５を動作させて、前記バイアス回路平滑用コンデンサ３の電荷を確実に放電させることができる。これにより、電源のオフ時に異常点灯が発生することを防止することができる。
【００２９】
さらに、前記放電回路９は、前記バイアス回路平滑用コンデンサ３に保持された電荷が微少であっても確実に放電させることができる。この結果、前記液晶表示装置１の電源がオフにされた後であって再度電源がオンにされたとき液晶表示パネルの表示の一部に筋状の異常点灯が発生してしまうことを防止することができる。
【００３０】
また、図２は、第２の実施形態に係る液晶表示装置の電気回路の一部を示す回路図であり、図２に示すように、本液晶表示装置１１は、第１の実施形態と同様、バイアス電圧発生回路（図示せず）が組み込まれたパネル駆動用ＩＣチップ１２と、バイアス回路平滑用コンデンサ１３と、放電抵抗１４とを有し、前記パネル駆動用ＩＣチップ１２は、接地されている。
【００３１】
また、前記液晶表示装置１１は、ｎチャネルＭＯＳ形電界トランジスタ等のデプレッション型の放電回路スイッチ用トランジスタ１５を有し、この放電回路スイッチ用トランジスタ１５のゲートには、電源をオンにしたときに、前記パネル駆動用ＩＣチップ１２を駆動させるための駆動電圧（ＶＣＣ）が印加されるようになっている。さらに、ドレインは、前記放電抵抗１４と接続されており、また、前記ソースは、グランドに接続されている。そして、この放電回路スイッチ用トランジスタ１５は、ゲートに印加されている駆動電圧がオフ状態となったときに、ドレインとソースとの間に電流を流すことができるようになっている。
【００３２】
そして、前記放電抵抗１４と、前記放電回路スイッチ用トランジスタ１５とによって、バイアス回路平滑用コンデンサ１３が保持するバイアス電圧の電荷を放電する放電回路１９を構成するようになっている。
【００３３】
次に、本第２の実施形態の作用について説明する。
【００３４】
まず、液晶表示装置１１の電源をオンにすると、パネル駆動用ＩＣチップ１２に駆動電圧が印加され、バイアス電圧発生回路において発生させたバイアス電圧がバイアス回路平滑用コンデンサ１３によって保持されるとともに、前記駆動電圧が放電回路スイッチ用トランジスタ１５のゲートに印加される。これにより、前記放電回路スイッチ用トランジスタ１５を動作させ、ドレインとソースとの間に電流が流れないようにする。
【００３５】
この液晶表示装置１１の電源をオフにし、駆動電圧をオフにすると、前記ゲートに駆動電圧が印加されなくなり、これにより、前記放電回路スイッチ用トランジスタ１５の動作が停止し、ドレインとソースとの間に電流を流すことができるようになり、バイアス回路平滑用コンデンサ１３から放電抵抗１４を介してグランドに電流が流れる。これにより、前記バイアス回路平滑用コンデンサ１３に保持されたバイアス電圧の電荷を放電させることができる。
【００３６】
本実施形態によれば、このバイアス回路平滑用コンデンサ１３に保持されたバイアス電圧の電荷を液晶表示パネル側に流すことなくグランドに放電させることができる。
【００３７】
したがって、駆動電圧をオフにすることによって放電回路スイッチ用トランジスタ１５の動作を停止させることによりバイアス回路平滑用コンデンサ１３の電荷を放電させることができるので、前記第１の実施形態と同様、異常な状態で液晶表示装置１１の電源がオフにされた場合であっても、駆動電圧がオフとなることにより、前記放電回路スイッチ用トランジスタ１５の動作を停止させて、前記バイアス回路平滑用コンデンサ１３の電荷を確実に放電させることができる。これにより、電源のオフ時に異常点灯が発生することを防止することができる。
【００３８】
なお、本発明は前記実施形態に限定されるものではなく、必要に応じて種々変更することが可能である。
【００３９】
【発明の効果】
以上述べたように、請求項１に記載の発明に係る放電回路によれば、リセット信号の電圧によって放電回路スイッチ用トランジスタを動作させることが可能となり、バイアス回路平滑用コンデンサに保持された電荷を放電させることができる。
【００４０】
また、電源供給プラグを引き抜く等異常な状態で液晶表示装置の電源がオフにされた場合であっても、リセット信号ホールド用コンデンサに保持された電圧を用いて放電回路スイッチ用トランジスタを動作させて、バイアス回路平滑用コンデンサの電荷を確実に放電させることができる。これにより、電源のオフ時に異常点灯が発生することを防止することができる。
【００４１】
さらに、バイアス回路平滑用コンデンサの電圧が所定のしきい値以下であっても、確実に放電させることができるので、バイアス回路平滑用コンデンサに保持された電圧がしきい値以下であっても、液晶表示装置の電源がオフにされた後であって再度電源がオンにされたとき液晶表示パネルの表示の一部に筋状の異常点灯が発生してしまうことを防止することができる。
【００４２】
また、請求項２に記載の発明に係る放電回路によれば、駆動電圧をオフにすることによって放電回路スイッチ用トランジスタの動作を停止させることによりバイアス回路平滑用コンデンサの電荷を放電させることができる。また、異常な状態で液晶表示装置の電源がオフにされた場合であっても、駆動電圧がオフとなることにより、前記放電回路スイッチ用トランジスタの動作を停止させて、バイアス回路平滑用コンデンサの電荷を確実に放電させることができる。これにより、電源のオフ時に異常点灯が発生することを防止することができる。
【００４３】
また、請求項３に記載の発明に係る液晶表示装置によれば、リセット信号の電圧によって放電回路スイッチ用トランジスタを動作させることが可能となり、バイアス回路平滑用コンデンサに保持された電荷を放電させることができる。
【００４４】
また、電源供給プラグを引き抜く等異常な状態で液晶表示装置の電源がオフにされた場合であっても、リセット信号ホールド用コンデンサに保持された電圧を用いて放電回路スイッチ用トランジスタを動作させて、バイアス回路平滑用コンデンサの電荷を確実に放電させることができる。これにより、電源のオフ時に異常点灯が発生することを防止することができる。
【００４５】
さらに、バイアス回路平滑用コンデンサの電圧が所定のしきい値以下であっても、確実に放電させることができるので、バイアス回路平滑用コンデンサに保持された電圧がしきい値以下であっても、液晶表示装置の電源がオフにされた後であって再度電源がオンにされたとき液晶表示パネルの表示の一部に筋状の異常点灯が発生してしまうことを防止することができる。
【００４６】
また、請求項４に記載の発明に係る液晶表示装置によれば、駆動電圧をオフにすることによって放電回路スイッチ用トランジスタの動作を停止させることによりバイアス回路平滑用コンデンサの電荷を放電させることができる。また、異常な状態で液晶表示装置の電源がオフにされた場合であっても、駆動電圧がオフとなることにより、前記放電回路スイッチ用トランジスタを動作させて、バイアス回路平滑用コンデンサの電荷を確実に放電させることができる。これにより、電源のオフ時に異常点灯が発生することを防止することができる。
【図面の簡単な説明】
【図１】本発明に係る液晶表示装置の電気回路の一部を示す回路図
【図２】本発明に係る液晶表示パネル装置の他の電気回路の一部を示す回路図
【符号の説明】
１  液晶表示装置
２  パネル駆動用ＩＣチップ
３  バイアス回路平滑用コンデンサ
４  放電抵抗
５  放電回路スイッチ用トランジスタ
７  リセット信号ホールド用コンデンサ
８  リセット信号ホールド用ダイオード
【図１】
2004151514.tif 000003
【図２】
2004151514.tif 000004